(57)【要約】【課題】  上昇調整時の操作感を一定にしたり、好みに合わせて調整することができ、しかも、低コストで汎用性に優れたディスプレイ昇降調整装置を提供する。【解決手段】  昇降部材３０を上昇方向に付勢する渦巻きばね２０は、巻き付け部２０ｂが昇降部材３０の昇降動に追従して巻き出されあるいは巻き戻されることにより、昇降路１３ａ，１３ｂに沿って昇降動するように構成し、昇降路１３ａ，１３ｂに、渦巻きばね２０の巻き付け部２０ｂの外径よりも幅狭とされ、昇降部材３０の下降動に伴って巻き付け部２０ｂが径方向に圧縮された状態で嵌挿される嵌挿部４０を設ける。【選択図】      図１
2005178963.tif 000002
【特許請求の範囲】
【請求項１】
ベース部材と、このベース部材に設けられた昇降路に沿って昇降可能に設けられ、ディスプレイが取り付けられる昇降部材と、前記ベース部材と前記昇降部材との間に設けられ、前記昇降部材を前記ベース部材に対して上昇方向に付勢する渦巻きばねとを備え、
前記渦巻きばねは、巻き終端部が前記ベース部材に固定され、巻き付け部が前記昇降部材に上昇方向に当接された状態を維持しながら、前記昇降部材の昇降動に追従して巻き戻されあるいは巻き出されることにより、前記昇降路に沿って昇降動するように構成されているとともに、
前記昇降路には、前記巻き付け部の外径よりも幅狭とされ、前記昇降部材が下方に位置するほど前記巻き付け部が径方向に圧縮された状態で嵌挿される嵌挿部が設けられていることを特徴とするディスプレイ昇降調整装置。
【請求項２】
前記嵌挿部は、前記昇降路の下降方向に向かうにつれて、その幅が狭くなるように形成されていることを特徴とする請求項１に記載のディスプレイ昇降調整装置。
【請求項３】
前記嵌挿部は、前記ベース部材の前記昇降路に対して嵌挿部形成用のスペース部材が取り付けられることにより形成されることを特徴とする請求項１または請求項２に記載のディスプレイ昇降調整装置。
【請求項４】
前記スペース部材は、前記ベース部材の前記昇降路に対して取り付け取り外し可能に設けられていることを特徴とする請求項３に記載のディスプレイ昇降調整装置。
【請求項５】
ベース部材と、このベース部材に設けられた昇降路に沿って昇降可能に設けられ、ディスプレイが取り付けられる昇降部材と、前記ベース部材と前記昇降部材との間に設けられ、前記昇降部材の昇降動に追従して巻き戻されあるいは巻き出されることにより、前記昇降部材を前記ベース部材に対して上昇方向に付勢する渦巻きばねとを備え、
前記ベース部材と前記昇降部材との間に設けられ、前記昇降部材が下方に位置するときに、前記昇降部材の上昇速度の低減を図るダンパーを具備したことを特徴とするディスプレイ昇降調整装置。
【発明の詳細な説明】
【技術分野】
【０００１】
従来、パーソナルコンピュータ（以下、パソコンという）やテレビ受像機に用いられるディスプレイ支持装置としては、図１２に示すような液晶モニタの支持装置１００が知られている。この支持装置１００は、同図に示すように、ベース部１０１と、このベース部１０１に立設された支持部１０２と、この支持部１０２に対して昇降動可能に設けられた昇降部１０３と、この昇降部１０３の上部に支軸１０３ａを介して図中矢印Ｙ２方向に揺動可能に取り付けられた可動部１０４とを備えている。
【０００２】
支持部１０２には、コイルばね１０２ａが内装されており、このコイルばね１０２ａにより、昇降部１０３は、上昇方向（図中矢印Ｙ１方向）へ付勢されている。
可動部１０４には、ディスプレイＤを取り付けるための取付具１０４ａが設けられており、この取付具１０４ａによりディスプレイＤは、図中矢印Ｙ３方向に回動自在に保持される。
【０００３】
このような支持装置１００によれば、支持部１０２に対して、昇降部１０３を上下方向にスライドさせることができ、使用者の好みに合わせて、ディスプレイＤの高さを変更することができる。その際、昇降部１０３は、コイルばね１０２ａにより上昇方向（図中矢印Ｙ１方向）に付勢されているので、ディスプレイＤの上昇方向への操作を軽い操作力でスムーズに行うことができる（例えば、特許文献１参照）。
【０００４】
【特許文献１】登録実用新案第３０６３９２０号公報（第６−７頁，図１，図２）
【発明の開示】
【発明が解決しようとする課題】
【０００５】
しかしながら、上述した従来の支持装置１００には、次のような問題があった。
支持装置１００は、付勢力付与手段としてコイルばね１０２ａを用いているので、その付勢力は、昇降部１０３の高さ位置（ばねの圧縮状態）に対応したものとなっていた。このため、上昇調整時の操作感は、ばねの圧縮状態に対応したものとなり、使用者の好みに合わせた操作感に調整することができなかった。
また、昇降部１０３の高さ位置にかかわりなく、上昇調整時の操作感が一定となるようにすることもできず、例えば、ディスプレイＤが低い位置にあるときよりも高い位置にあるときの方が、大きな上昇操作力を要していた。
【０００６】
この場合、上昇調整時の操作感が一定となるようにするための方策として、コイルばね１０２ａに代えて渦巻きばねを用いるということも考えられる。渦巻きばねは、一般的に、コイルばねに比べて付勢力が一定しているものの、依然として巻き出し量に対して付勢力が厳密には均一ではなく、やはり、巻き出し量が増えるほど、付勢力は大きくなる。このため、仮に、コイルばね１０２ａに代えて渦巻きばねを採用したとしても、昇降部１０３が低い位置にあるときには、渦巻きばねの巻き出し量が多くなって付勢力が増大しやすくなり、したがって、このものも上昇調整時の操作感が一定となるようにすることができない。
【０００７】
また、支持装置１００の汎用性を考慮した場合、種々のディスプレイＤを一つの支持装置１００で共用することが得策である。しかし、ディスプレイＤは、機種によって製品重量が異なりやすく、これを一律に同じ支持装置１００で支持した場合には、機種毎に上昇調整時の操作感が異なるおそれがある。このため、機種毎に調整されたコイルばね１０２ａを用意する等の方策を採る必要が生じ、その分、コスト高になるという問題があった。
【０００８】
本発明は、かかる事情に鑑みてなされたものであり、その目的は、上昇調整時の操作感を一定にしたり、好みに合わせて調整することができるディスプレイ昇降調整装置を提供することにある。
さらに、種々のディスプレイが取り付けられたときでも、上昇調整時の操作感を同様のものとすることができ、低コストで汎用性に優れたディスプレイ昇降調整装置を提供することにある。
【課題を解決するための手段】
【０００９】
上記目的を達成するために本発明の請求項１に記載のディスプレイ昇降調整装置は、ベース部材と、このベース部材に設けられた昇降路に沿って昇降可能に設けられ、ディスプレイが取り付けられる昇降部材と、前記ベース部材と前記昇降部材との間に設けられ、前記昇降部材を前記ベース部材に対して上昇方向に付勢する渦巻きばねとを備え、前記渦巻きばねは、巻き終端部が前記ベース部材に固定され、巻き付け部が前記昇降部材に上昇方向に当接された状態を維持しながら、前記昇降部材の昇降動に追従して巻き戻されあるいは巻き出されることにより、前記昇降路に沿って昇降動するように構成されているとともに、前記昇降路には、前記巻き付け部の外径よりも幅狭とされ、前記昇降部材が下方に位置するほど前記巻き付け部が径方向に圧縮された状態で嵌挿される嵌挿部が設けられていることを特徴とする。
【００１０】
このようなディスプレイ昇降調整装置によれば、昇降部材は、ベース部材に設けられた昇降路に沿って昇降可能に設けられ、渦巻きばねにより、ベース部材に対して上昇方向に付勢されているので、ディスプレイの上昇方向への調整を渦巻きばねの付勢力（復元力）を用いて軽い操作力で行うことができる。
【００１１】
渦巻きばねは、巻き付け部が昇降部材の昇降動に追従して巻き戻されあるいは巻き出されて、昇降路に沿って昇降動するように構成されているとともに、昇降路には、巻き付け部の外径よりも幅狭とされ、昇降部材が下方に位置するほど巻き付け部が径方向に圧縮された状態で嵌挿される嵌挿部が設けられているので、昇降部材を下降動させると、巻き付け部が昇降部材に追従して下降動し、昇降路に設けられた嵌挿部に嵌挿する。嵌挿部は、巻き付け部の外径よりも幅狭とされ、巻き付け部が径方向に圧縮された状態で嵌挿されるようになっているので、嵌挿部に嵌挿された巻き付け部は、その周部が嵌挿部に強く当接された状態となり、径方向のばね力による抵抗力に比例した摩擦力をもって保持される。すわなち、この抵抗力に比例した摩擦力が渦巻きばねの付勢力に対して逆方向に作用するようになり、結果として、昇降部材に対する上昇方向の付勢力が弱められることとなる。
したがって、このような嵌挿部を昇降路の所望の位置に設けることによって、上昇調整時の操作感を調整することができるようになり、使用者の好みに合わせた操作感を得ることができる。
【００１２】
また、嵌挿部を昇降路の昇降方向に長く設けることにより、巻き付け部が嵌挿部に嵌挿されている状態を長くすることができる。これにより、昇降路の長い範囲にわたって、上昇調整時の操作感を調整することができるようになる。
【００１３】
また、請求項２に記載のディスプレイ昇降調整装置は、請求項１に記載のディスプレイ昇降調整装置において、嵌挿部は、昇降路の下降方向に向かうにつれて、その幅が狭くなるように形成されていることを特徴とする。
【００１４】
このようなディスプレイ昇降調整装置によれば、嵌挿部が、昇降路の下降方向に向かうにつれて、その幅が狭くなるように形成されているので、嵌挿部に嵌挿された巻き付け部の抵抗力に比例した摩擦力は、昇降部材が下方に位置するほど強まるようになる。
すなわち、昇降部材の下降動に伴って増大する渦巻きばねの付勢力を、この昇降部材が下方に位置するほど強まる摩擦力による逆方向の力によって打ち消すようにすることができ、したがって、上昇調整時の操作感が一定となるように調整することができるようになる。
例えば、昇降部材の下降端近傍では、渦巻きばねの巻き出しの初期状態に比べて渦巻きばねの付勢力が増大したものとなるが、その増大した付勢力は、昇降部材が下方に位置するほど強まるようにされた摩擦力による逆方向の力によって減じられることとなり、その結果、昇降部材の下降端近傍においても、渦巻きばねの巻き出しの初期状態と変わることのない操作力で上昇調整を行うことができるようになる。
【００１５】
請求項３に記載のディスプレイ昇降調整装置は、請求項１または請求項２に記載のディスプレイ昇降調整装置において、嵌挿部は、ベース部材の昇降路に対して嵌挿部形成用のスペース部材が取り付けられることにより形成されることを特徴とする。
【００１６】
このようなディスプレイ昇降調整装置によれば、嵌挿部形成用のスペース部材をベース部材の昇降路に取り付けることにより、昇降路に嵌挿部が形成されるようになる。
したがって、ベース部材の昇降路にあと付けで嵌挿部を形成することができ、上昇調整時の操作感を所望の操作感とすることができる。
【００１７】
請求項４に記載のディスプレイ昇降調整装置は、請求項３に記載のディスプレイ昇降調整装置において、スペース部材は、ベース部材の昇降路に対して取り付け取り外し可能に設けられていることを特徴とする。
【００１８】
このようなディスプレイ昇降調整装置によれば、スペース部材がベース部材の昇降路に対して取り付け取り外し可能に設けられているので、スペース部材を昇降路に取り付けることにより上昇調整時の操作感を所望の操作感とすることができ、また、スペース部材を昇降路から取り外すことにより、元の操作感となるように戻すこともできる。
また、昇降路に対して任意の嵌挿幅を形成することのできるスペース部材を複数種類用意して、これらのうちから任意のスペース部材を取り付けるようにすることもできる。これにより、上昇調整時の操作感を使用者の好みに合わせて調整することができる。
【００１９】
この場合、ディスプレイ昇降調整装置が種々のディスプレイの共用の装置として構成されているときには、取り付けられるディスプレイの製品重量に合わせてスペース部材を複数種類用意することにより、次のような作用効果が得られる。
すなわち、種々のディスプレイの共用の装置としてディスプレイ昇降調整装置が構成されている場合に、ディスプレイの製品重量が種々異なっているものをそのまま取り付けると、ディスプレイの製品重量と渦巻きばねの付勢力とのバランスはまちまちとなり、上昇調整時の操作感は、取り付けられたディスプレイの製品重量によって異なったものとなるおそれがある。
【００２０】
このような場合に、ディスプレイの製品重量に対応した適切な抵抗力を渦巻きばねの付勢力に対して付与することができれば、ディスプレイの製品重量が異なっても、上昇調整時の操作感を変わらないものとすることが可能である。
そこで、ディスプレイの製品重量に対応した適切な抵抗力を付与することのできるスペース部材を複数種類用意し、これをディスプレイに対応させて取り付けるように構成することにより、上昇調整時の操作感の変わらないディスプレイ昇降調整装置とすることができる。これにより、従来のように、付勢力付与手段（ばね）を種々用意する必要もなくなる。
したがって、低コストで汎用性に優れたディスプレイ昇降調整装置を得ることができる。
【００２１】
請求項５に記載のディスプレイの昇降調整装置は、ベース部材と、このベース部材に設けられた昇降路に沿って昇降可能に設けられ、ディスプレイが取り付けられる昇降部材と、前記ベース部材と前記昇降部材との間に設けられ、前記昇降部材の昇降動に追従して巻き戻されあるいは巻き出されることにより、前記昇降部材を前記ベース部材に対して上昇方向に付勢する渦巻きばねとを備え、前記ベース部材と前記昇降部材との間に設けられ、前記昇降部材が下方に位置するときに、前記昇降部材の上昇速度の低減を図るダンパーを具備したことを特徴とする。
【００２２】
このようなディスプレイ昇降調整装置によれば、昇降部材は、ベース部材に設けられた昇降路に沿って昇降可能に設けられ、巻き付け部が昇降部材の昇降動に追従して巻き戻されあるいは巻き出されるように構成された渦巻きばねにより、ベース部材に対して上昇方向に付勢されているので、ディスプレイの上昇方向への調整を渦巻きばねの付勢力（復元力）を用いて軽い操作力で行うことができる。
【００２３】
ベース部材と昇降部材との間には、昇降部材が下方に位置するときに、昇降部材の上昇速度の低減を図るダンパーが設けられているので、下方にある位置から昇降部材を上昇調整する際に、昇降部材に対して抵抗力を付与することができるようになり、その結果、渦巻きばねによる付勢力を弱めることができる。
これにより、上昇調整時の操作感を調整することができるようになり、使用者の好みに合わせた操作感を得ることができる。
【発明の効果】
【００２４】
請求項１に記載の発明によれば、昇降部材の上昇調整を渦巻きばねの付勢力を用いて軽い操作力で行うことができるとともに、嵌挿部に渦巻きばねの巻き付け部が径方向に圧縮された状態で嵌挿されるので、このときの摩擦力を利用して、昇降部材に対する上昇方向の付勢力を弱めることができ、使用者の好みに合わせた操作感を得ることができる。
【００２５】
また、請求項２に記載の発明によれば、昇降部材が下方に位置するほど嵌挿部への巻き付け部の嵌挿が強まるようになっているので、昇降部材が下方に位置するほど強まる渦巻きばねの付勢力を打ち消すことができ、上昇調整時の操作感が一定となるように調整することができる。
【００２６】
請求項３に記載の発明によれば、ベース部材の昇降路にあと付けで嵌挿部を形成することができ、上昇調整時の操作感を所望の操作感とすることができる。
【００２７】
請求項４に記載の発明によれば、スペース部材を昇降路に取り付けたり取り外したりすることにより上昇調整時の操作感を所望の操作感とすることができる。また、スペース部材を複数種類用意することにより、上昇調整時の操作感を使用者の好みに合わせて調整することができ、さらに、ディスプレイの製品重量に対応した適切な抵抗力を付与することも可能となり、低コストで汎用性に優れたディスプレイ昇降調整装置が得られる。
【００２８】
請求項５に記載の発明によれば、ダンパーにより、下方にある位置から昇降部材を上昇調整する際に、抵抗力を付与することができるようになり、渦巻きばねによる付勢力が弱まるように調整することができる。これにより、昇降部材を上昇調整した際に、昇降部材が勢い良く跳ね上がるような現象を防止することができる。
【発明を実施するための最良の形態】
【００２９】
以下、添付図面を参照して、本発明の実施の形態を詳細に説明する。なお、説明において、同一の要素には同一の符号を用い、重複する説明は省略する。
（第一の実施の形態）
図１は、本発明の第一の実施の形態に係るディスプレイ昇降調整装置を示す分解斜視図、図２は、ベース部材と昇降部材とを分離した状態の正面図、図３は、ベース部材のホルダと昇降部材との嵌合状態を示す水平断面図である。図１，２に示すように、本実施の形態のディスプレイ昇降調整装置１は、ベース部材１０と、このベース部材１０のホルダ１２に設けられた昇降路１３ａ，１３ｂに沿って昇降可能に設けられ、パソコン用のディスプレイが取り付けられる昇降部材３０と、ベース部材１０のホルダ１２と昇降部材３０との間に設けられ、昇降部材３０をベース部材１０に対して上昇方向に付勢する渦巻きばね２０，２０とを備えている。そして、渦巻きばね２０，２０は、その巻き付け部２０ｂ，２０ｂが昇降部材３０の昇降動に追従して巻き戻されあるいは巻き出されて、ホルダ１２の昇降路１３ａ，１３ｂを昇降動するように構成されているとともに、この昇降路１３ａ，１３ｂには、渦巻きばね２０，２０の巻き付け部２０ｂ，２０ｂの外径よりも幅狭とされ、昇降部材３０の下降動に伴って巻き付け部２０ｂ，２０ｂが径方向に圧縮された状態で嵌挿される嵌挿部４０，４０が設けられた構成となっている。すなわち、このディスプレイ昇降調整装置１では、昇降路１３ａ，１３ｂに設けられた嵌挿部４０，４０に、渦巻きばね２０，２０の巻き付け部２０ｂ，２０ｂが嵌挿されることにより、渦巻きばね２０，２０の付勢力Ｆ１に対して逆方向に作用する抵抗力Ｆ２を付与することができるようになっている。
【００３０】
以下、各部について詳細に説明する。
ベース部材１０は、金属製の、台座１１とホルダ１２とを備えている。台座１１には、図３において破線で示す円形の回転テーブル１１ａが設けられており、この回転テーブル１１ａは、図２に示すように、ボルト１１ａ1によって底部１１ｂに回転可能に取り付けられている。これにより台座１１は、この回転テーブル１１ａによって鉛直軸回りに回転可能となっている。
【００３１】
ホルダ１２の左右部分には、図１，図３に示すように、昇降部材３０の昇降を案内する平面視略コ字形（図３参照）の昇降路（縦溝）１３ａ，１３ｂがホルダ１２の上下方向にわたって設けられている。また、ホルダ１２の中央部分には、前記昇降路１３ａ，１３ｂに挟まれる形で、ホルダ１２の前面側に突設された幅広のセンターガイド部１４が設けられている。このセンターガイド部１４は、前記昇降路１３ａ，１３ｂとの境を形成している段部１４ａ，１４ｂが、図１，図２に示すように、ホルダ１２の高さ方向中ほどよりやや上方部位から下部に向かって、左右に緩やかに広がりをみせた下り傾斜状に設けられており、この段部１４ａ，１４ｂの傾斜によって昇降路１３ａ，１３ｂの幅が狭められた状態とされることによって前記嵌挿部４０，４０が形成されるようになっている。
【００３２】
嵌挿部４０，４０は、渦巻きばね２０，２０の巻き付け部２０ｂ，２０ｂの外径よりも幅狭とされており、嵌挿部４０，４０には、昇降部材３０の下降動に伴って巻き付け部２０ｂ，２０ｂが径方向に圧縮された状態で嵌挿されるようになっている。本実施の形態では、嵌挿部４０，４０が、前記段部１４ａ，１４ｂの傾斜により、ホルダ１２の下降方向へ向かうにつれて幅が狭くなるように形成されている。
なお、センターガイド部１４には、後記する取付け部材５０を取り付けるための縦長の貫通孔１４ｃが設けられている。
【００３３】
渦巻きばね２０，２０は、一定の曲率で密着巻きされた薄板のばねを用いており、その巻終端部２０ａ，２０ａが昇降路１３ａ，１３ｂの左右側壁の上部にそれぞれ形成された係止部１５，１５に係止されている。これにより、渦巻きばね２０，２０は、図２に示すように、昇降路１３ａ，１３ｂの内側上方部位に配置され、後記する昇降部材３０の下降動に追従して、その巻き付け部２０ｂ，２０ｂが昇降路１３ａ，１３ｂを下降し、外周部が直線状に巻き出されるようになっている。これにより、渦巻きばね２０，２０の付勢力は、後記する昇降部材３０を押し上げる方向（上昇方向）に向けられる。すなわち、昇降部材３０は、昇降部材３０に取り付けられるディスプレイＤ（図５参照）の重さを考慮した上昇動が可能となるように構成される。
【００３４】
昇降部材３０は、図１，図２に示すように、ベース部材１０のホルダ１２に設けられた昇降路１３ａ，１３ｂに挿入されるガイド部３１ａ，３１ｂと、このガイド部３１ａ，３１ｂを繋ぐ中央部３２とを備えており、金属製の板材をプレス成形等で加工することにより形成されている。
ガイド部３１ａ，３１ｂには、合成樹脂材からなる平面視Ｈ形状（図３参照）のスペーサ３３ａ，３３ｂが取り付けられている。スペーサ３３ａ，３３ｂは、ホルダ１２の昇降路１３ａ，１３ｂに対して、挿入可能でかつ適度な摩擦力をもって摺接する厚みを有したものとなっている。
【００３５】
スペーサ３３ａ，３３ｂの下部３４ａ，３４ｂには、前記渦巻きばね２０，２０の巻き付け部２０ｂ，２０ｂがそれぞれ収納保持される正面視略三角形の収納部３５，３５が一体に設けられている。収納部３５は、スペーサ３３ａのものについて説明すると、図４（ａ）に示すように、天部３５ａと、前部３５ｂと、後部３５ｃと、側部３５ｄとからなっており、一側部３６ａと底部３６ｂとが開口された形状となっている。ここで、渦巻きばね２０は、図４（ｂ）に示すように、この収納部３５に形成された空間Ｋに収納されて、巻き出されたばねが底部３６ｂから図４（ａ）に示した側部３５ｄの側面側３５ｄ1に引き出されるようになっている。これにより、渦巻きばね２０は、収納部３５に収納されると、巻き付け部２０ｂの周部が天部３５ａに当接して、昇降部材３０に上昇方向の付勢力を付与しつつ昇降部材３０を支持するようになっている。
このとき、図４（ｂ）に示すように、渦巻きばね２０により巻き出されたばね（伸長部位）２０ａ1は、スペーサ３３ａの側方に形成された凹部３３ａ1（図４（ａ）参照、スペーサ３３ｂでは凹部３３ｂ1）に入り込んで逃がされ、昇降部材３０の昇降時の抵抗となることが防止されている。
【００３６】
図１，図２に示すように、中央部３２は、その上部に、ディスプレイＤ（図５参照）を取り付けるための取付け孔３２ａが計４個設けられている。また、中央部３２には、図１に示すように、後記する取付け部材５０のスライドストッパ５１の突部５１ａを挿通するための縦長溝３２ｂが設けられている。
【００３７】
取付け部材５０は、図１に示すように、昇降部材３０の前面側から取り付けられる樹脂製のスライドストッパ５１と、昇降部材３０とホルダ１２との間に配置される樹脂製のパッキンスペーサ５２と、取付けボルト５３と、取付板５４（図１においては、ホルダ１２の背部に配置して表示）とを備えている。このような取付け部材５０は、ホルダ１２から昇降部材３０が抜け出るのを防止するとともに、昇降部材３０がホルダ１２に対して前方に倒れ込むのと、左右方向へ動いてガタつくのを規制する役割を成している。スライドストッパ５１には、突部５１ａが設けられており、この突部５１ａは、昇降部材３０の中央部３２の縦長溝３２ｂを貫通した後に、パッキンスペーサ５２を貫通してさらにホルダ１２のセンターガイド部１４の貫通孔１４ｃに挿通される長さを有している。パッキンスペーサ５２には、このスライドストッパ５１の突部５１ａが貫通される長孔５２ａが形成されている。
【００３８】
このようなディスプレイ昇降調整装置１は、例えば、次のようにして、組み立てられる。
まず、図１，図２に示すように、台座１１の後部１１ｃに、ボルト１１ｄ，１１ｄを用いてホルダ１２を立設固定する。その後、渦巻きばね２０，２０の巻終端部２０ａ，２０ａをホルダ１２の昇降路１３ａ，１３ｂの係止部１５，１５にそれぞれ係合させ、渦巻きばね２０，２０を昇降路１３ａ，１３ｂの内側上方位置に配置する。次に、ホルダ１２の昇降路１３ａ，１３ｂに、昇降部材３０のスペーサ３３ａ，３３ｂをそれぞれ挿入して昇降部材３０を押し下げ、ホルダ１２に昇降部材３０を取り付ける。すると、昇降部材３０のスペーサ３３ａ，３３ｂの収納部３５，３５に、渦巻きばね２０，２０の巻き付け部２０ｂ，２０ｂがそれぞれ収納保持され（図４（ｂ）参照）、昇降部材３０の下降動に追従して巻き付け部２０ｂ，２０ｂが下降動可能となる。
【００３９】
次に、取付け部材５０のパッキンスペーサ５２をホルダ１２のセンターガイド部１４の前面側から貫通孔１４ｃに合わせて保持しつつ、スライドストッパ５１の突部５１ａを昇降部材３０の縦長溝３２ｂに挿入し、この突部５１ａがパッキンスペーサ５２を通じてホルダ１２の貫通孔１４ｃに貫通される位置まで、昇降部材３０を押し下げた状態にして、スライドストッパ５１の突部５１ａを貫通孔１４ｃに挿入する。この状態で、スライドストッパ５１にボルト５３を挿入し、ホルダ１２の背部側に配置した取付板５４にボルト５３を螺合させる。これにより、ホルダ１２に対して昇降部材３０を取り付けることができ、ディスプレイ昇降調整装置１が組み立てられる。
その後、ディスプレイ昇降調整装置１の昇降部材３０の取付け孔３２ａ（図１，図２参照）に、不図示のボルトを用いて、ディスプレイＤ（図５参照）を固定する。
【００４０】
このようにして組み立てられたディスプレイ昇降調整装置１は、昇降部材３０とホルダ１２との間にパッキンスペーサ５２を配置してあるので、昇降部材３０の昇降動作に伴って金属部材同士が擦れ合う等の不快な音が生じることがなく、また、金属同士の接触による、いわゆる、ガルバニック腐食が防止されたものとなっている。
ディスプレイ昇降調整装置１は、通常、昇降部材３０の高さ調整を自由に行うことができるようになっているが、取付け部材５０のボルト５３の締め付け力を調節することによって、昇降部材３０の昇降時の操作感を軽くしたり、あるいは、重くしたり、さらには、所望の高さに昇降部材３０を昇降不能に固定したりすることもできる。
【００４１】
なお、渦巻きばね２０，２０は、その特性として、図６に示すように、巻き出し時の荷重特性が巻き出し初期の弱い状態から急激に増加する領域Ｒを有しており、本実施の形態では、この領域Ｒを越えたストローク位置から渦巻きばね２０，２０の巻き出し（昇降部材３０の下降動）が開始されるようにしてある。すなわち、図７（ｃ）に示すように、渦巻きばね２０，２０は、前記領域Ｒ分が予め引き出された状態となるように昇降部材３０が上端位置にあっても幾分下降動された状態で、ベース部材１０のホルダ１２に取り付けられるようになっている。
【００４２】
次に、本実施の形態のディスプレイ昇降調整装置の動作を図６のグラフおよび図７（ａ）〜（ｃ）を参照して説明する。なお、図７（ａ）〜（ｃ）においてディスプレイＤは省略してあり、また、動作は、昇降部材３０が下降端近傍にある状態から上昇調整をする場合について説明する。
はじめに、ディスプレイ昇降調整装置１に取り付けられた渦巻きばね２０，２０は、一般的な特性を有しており、その荷重（付勢力）は、図６中実線で示すように、領域Ｒを過ぎた後は徐々に増加する傾向にある。したがって、昇降部材３０が下降端近傍位置（符号Ｃ）にあるときと、中間位置（符号Ｂ）にあるときと、上昇端近傍位置（符号Ａ）にあるときとでは、それぞれ、荷重（付勢力）が異なったものとなっている。
【００４３】
図７（ａ）に示すように、昇降部材３０が下降端近傍位置に下降動された状態では、昇降部材３０の下降動に追従して巻き出された巻き付け部２０ｂ，２０ｂが、嵌挿部４０，４０に嵌挿された状態となっている。
嵌挿部４０，４０は、巻き付け部２０ｂ，２０ｂの外径よりも幅狭とされ、巻き付け部２０ｂ，２０ｂが径方向に圧縮された状態で嵌挿されるようになっているので、嵌挿部４０，４０に嵌挿された巻き付け部２０ｂ，２０ｂは、その周部が段部１４ａ（１４ｂ）とスペーサ３３ａ（３３ｂ）の収納部３５（３５）の側部３５ｄ（３５ｄ）とに強く当接された状態となる。これにより、巻き付け部２０ｂ，２０ｂは、径方向のばね力による抵抗力に比例した摩擦力をもって嵌挿部４０，４０に保持される。
【００４４】
すなわち、昇降部材３０が下降端近傍にある状態から上昇調整をする場合、前記抵抗力に比例する摩擦力が渦巻きばね２０，２０の付勢力Ｆ１に対して逆方向の力Ｆ２ｂとなって作用するようになり、結果として、昇降部材３０に対する上昇方向の付勢力Ｆ１が弱められることとなる。これにより、付勢力Ｆ１は、図６中符号Ｃを付して示したストローク位置（下降端近傍）においては、前記付勢力Ｆ１に対する逆方向の力Ｆ２ｂ分が減少されることとなり、実際には、付勢力Ｆ１が、符号Ｆ１ｂを付して示した大きさに減少される。
したがって、この下降端近傍位置から昇降部材３０を上昇調整しようとするときには、通常の付勢力Ｆ１よりも弱くされた前記付勢力Ｆ１ｂが昇降部材３０に付与されることとなるので、図６中符号Ａを付して示したストローク位置（上昇端近傍位置）における操作力とほぼ同様の操作力で上昇調整を行うことができるようになる。
すなわち、ストローク位置が変わっても、昇降部材３０を上昇調整しようとするときの操作力は、ほぼ変わらない状態となる。
【００４５】
次に、図７（ｂ）に示すように、昇降部材３０がホルダ１２の高さ方向中ほどにある状態から上昇調整をする場合について説明する。この場合も、嵌挿部４０，４０に渦巻きばね２０，２０の巻き付け部２０ｂ，２０ｂが嵌挿された状態となっており、渦巻きばね２０，２０の付勢力Ｆ１に対して逆方向の抵抗力Ｆ２ａが作用し、その結果、昇降部材３０に対する上昇方向の付勢力Ｆ１が弱められることとなる。この場合、嵌挿部４０，４０の幅は、前記のように昇降部材３０が下降端近傍にある状態と比べて広がっており、その分、前記抵抗力に比例した摩擦力は、弱まったものとなる。このときの付勢力Ｆ１を、図６を参照して説明すると、図６中符号Ｂを付して示したストローク位置（ホルダ１２の高さ方向中ほどの位置）においては、前記抵抗力Ｆ２ａ分が減少されることとなり、実際には、付勢力Ｆ１が、符号Ｆ１ａを付して示した大きさに減少される。
【００４６】
したがって、この位置から昇降部材３０を上昇調整しようとするときには、通常の付勢力Ｆ１よりも弱くされた付勢力Ｆ１ａが昇降部材３０に付与されることとなり、その操作力は、先に説明した図６中符号Ｃを付したストローク位置とほぼ同様のものとなる。
なお、図６のグラフには符号を付して説明しないが、付勢力Ｆ１に対する前記逆方向の力（Ｆ２ａ，Ｆ２ｂ）は、渦巻きばね２０，２０の巻き付け部２０ｂ，２０ｂが嵌挿部４０，４０に嵌挿されている間、生じるようになる。
【００４７】
図７（ｃ）に示すように、昇降部材３０がホルダ１２の上昇端（上昇端近傍）に上昇されると、渦巻きばね２０，２０の巻き付け部２０ｂ，２０ｂが嵌挿部４０，４０から外れ、前記逆方向の力が作用しなくなり、渦巻きばね２０，２０の付勢力Ｆ１のみとなる。（図６中符号Ａを付して示したストローク位置：渦巻きばね２０，２０が巻き出される前の初期状態）。
【００４８】
すなわち、本実施の形態のディスプレイ昇降調整装置１によれば、ストロークのほぼ全体にわたって、昇降部材３０を上昇調整しようとするときの操作力が変わらない状態とされる。したがって、一定の操作感で上昇調整を行うことができるようになる。
【００４９】
なお、本実施の形態では、ディスプレイＤを縦向きあるいは横向き（図５に示した状態）に保持することのできる方向調整装置を用いて、ディスプレイＤが昇降部材３０に取り付けられている。図８は、この方向調整装置Ｈを説明するための分解斜視図である。
【００５０】
同図において、方向調整装置Ｈは、可動部６０と、ディスプレイ昇降調整装置１の昇降部材３０の取付け孔３２ａに図示しないボルトにより固定されるベース７０とを備えている。可動部６０は、ディスプレイＤの図示しない背部に重ねられた状態に取り付けられる枠部６１および板部６２を備えている。そして、この枠部６１と板部６２との間には、ディスプレイＤの回動角度を規制するためのサポートキャップ６３および共回り規制部材６４が設けられている。
【００５１】
枠部６１には、回動角度を規制するための舌片状の回動規制部６１ａが９０度間隔で設けられており、この回動規制部６１ａが当接することによりストッパとしての役割をなす壁部６３ａ，６３ａが、対峙するサポートキャップ６３の前面に垂直に突設されている。サポートキャップ６３には、クラッチ部材６４ａを介して共回り規制部材６４が挿通されている。
【００５２】
この共回り規制部材６４は、後方に配置されるベース７０のスペーサ７１とベース本体７２を介して付勢部材７３に通された後に、ワッシャ７４に挿通されて、ピン７５が挿通される。そして、このピン７５の両端部分がベース本体７２の図示しない背部側に設けられた切欠きに係止されることで、共回り規制部材６４は、その軸線回りに回動不能になり、また、この切欠きが共回り規制部材６４の軸線方向に深く形成されていることから、共回り規制部材６４は、軸線方向に移動可能に構成される。
これにより、サポートキャップ６３は、付勢部材７３の付勢力により可動部６０の板部６２の球帯部６２ａに適度な圧力をもって押圧された状態となるとともに、回動不能に構成された共回り規制部材６４に係止されているので、ベース本体７２に対して回動不能に構成される。これにより、可動部６０は、その枠部６１の回動規制部６１ａがサポートキャップ６３の壁部６３ａ，６３ａに当接する範囲内となる９０度の範囲内で回動可能に構成される。
【００５３】
クラッチ部材６４ａは、可動部６０の回動が、前記壁部６３ａ，６３ａにより阻止されている状態で、枠部６１の回動規制部６１ａにより壁部６３ａ，６３ａに所定値以上の回動力が作用した場合に、壁部６３ａ，６３ａによる阻止状態が解除されるようにサポートキャップ６３と共回り規制部材６４との係合状態を解除するものである。
【００５４】
このような方向調整装置Ｈを用いることにより、使用者の使い勝手に合わせて、ディスプレイＤを時計方向あるいは反時計方向に回動させることにより、縦置きあるいは横置きに配置することができる。また、前記壁部６３ａ，６３ａにより可動部６０の回動が阻止された状態で、阻止されている方向へディスプレイＤを回動させた場合でも、クラッチ部材６４ａにより、サポートキャップ６３と共回り規制部材６４との係合が解除されることとなるので、可動部６０は、可動可能範囲を超えて回動されるようになり、したがって、無理な回動が行われても、可動部６０やサポートキャップ６３が破損することがない。
【００５５】
前記した本実施の形態のディスプレイ昇降調整装置１によれば、昇降部材３０は、ホルダ１２に設けられた昇降路１３ａ，１３ｂに沿って昇降可能に設けられ、渦巻きばね２０，２０により、ホルダ１２に対して上昇方向に付勢されているので、ディスプレイＤの上昇方向への調整を渦巻きばね２０，２０の付勢力を用いて軽い操作力で行うことができる。
【００５６】
渦巻きばね２０，２０は、巻き付け部２０ｂ，２０ｂが昇降部材３０の昇降動に追従して巻き戻されあるいは巻き出されて、昇降路１３ａ，１３ｂに沿って昇降動するように構成されているとともに、昇降路１３ａ，１３ｂには、巻き付け部２０ｂ，２０ｂの外径よりも幅狭とされ、昇降部材３０の下降動に伴って、巻き付け部２０ｂ，２０ｂが径方向に圧縮された状態で嵌挿される嵌挿部４０，４０が設けられているので、昇降部材３０を下降動させることにより、巻き付け部２０ｂ，２０ｂを嵌挿部４０，４０に嵌挿させることができ、径方向のばね力による抵抗力に比例した摩擦力をもって嵌挿部４０，４０に保持させることができる。
すなわち、この抵抗力に比例した摩擦力が渦巻きばね２０，２０の付勢力Ｆ１（図７（ａ）（ｂ）参照）に逆向きの力（Ｆ２ｂ，Ｆ２ａ）となって作用するようになり、結果として、昇降部材３０に対する上昇方向の付勢力Ｆ１が弱められることとなる。
したがって、このような嵌挿部４０，４０を昇降路１３ａ，１３ｂの所望の位置に設けることにより、上昇調整時の操作力を調整することができるようになり、使用者の好みに合わせた操作感を得ることができる。
【００５７】
また、本実施の形態では、嵌挿部４０，４０が、昇降路１３ａ，１３ｂの昇降方向に長く設けられているので、巻き付け部２０ｂ，２０ｂが嵌挿部４０，４０に嵌挿されている状態を長くすることができる。これにより、昇降路１３ａ，１３ｂの長い範囲にわたって、上昇調整時の操作感を調整することができるようになる。
【００５８】
また、嵌挿部４０，４０は、昇降路１３ａ，１３ｂの下降方向に向かうにつれて、その幅が狭くなるように形成されているので、嵌挿部４０，４０に嵌挿された巻き付け部２０ｂ，２０ｂの抵抗力に比例した摩擦力は、昇降部材３０の下降動に伴って強まるようになる。
すなわち、通常であれば昇降部材の下降動に伴って増大する渦巻きばね２０，２０の付勢力Ｆ１を、この昇降部材３０の下降動に伴って強まる摩擦力による逆方向の力によって打ち消すようにすることができ、したがって、上昇調整時の操作感が一定となるように調整することができるようになる。
【００５９】
（第二の実施の形態）
図９は、第二の実施の形態に係るディスプレイ昇降調整装置を説明するための図であり、（ａ−１）は、ホルダの模式正面図、（ａ−２）は、図９（ａ−１）に示した嵌挿部を形成するためのスペース部材を示す正面図、（ｂ）〜（ｅ）は、同じく嵌挿部を形成するためのスペース部材の例を示す正面図である。
本実施の形態のディスプレイ昇降調整装置が前記第一の実施の形態のものと異なる点は、嵌挿部４０，４０を形成するためのスペース部材８０，８０を備えており、このスペース部材８０がホルダ１２の昇降路１３ａ，１３ｂに対して取り付け取り外し自在に設けられている点にある。
【００６０】
図９（ａ−１）に示すように、ホルダ１２は、昇降路１３ａ，１３ｂがホルダ１２の上下方向全体にわたって一定の幅を有しており、スペース部材８０，８０を取り付けるための取付孔１４ｄが段部１４ａ，１４ｂにそれぞれ設けられている。スペース部材８０，８０は、図９（ａ−２）にも示すように、頂部が鋭角に形成された三角形状に形成されており、側部には、前記各取付孔１４ｄに着脱可能に嵌合することのできる複数の嵌合突起８０ａが設けられている。
【００６１】
このようなディスプレイ昇降調整装置によれば、ホルダ１２の昇降路１３ａ，１３ｂの取付孔１４ｄに、スペース部材８０，８０の嵌合突起８０ａをそれぞれ嵌合させることにより、ホルダ１２の昇降路１３ａ，１３ｂに対してスペース部材８０，８０を取り付けることができ、嵌挿部４０，４０を形成することができる。また、ホルダ１２の昇降路１３ａ，１３ｂのそれぞれの取付孔１４ｄからスペース部材８０，８０の嵌合突起８０ａをそれぞれ外すことにより、昇降路１３ａ，１３ｂからスペース部材８０，８０を取り外すことができ、元の状態に戻すことができる。
【００６２】
したがって、スペース部材８０，８０を取り付けて、昇降路１３ａ，１３ｂに嵌挿部４０，４０を形成することにより、上昇調整時に所望の操作感が得られるようにすることができる。また、取り付けたスペース部材８０，８０を取り外すことにより、元の操作感となるように戻すこともできる。
【００６３】
また、図９（ｂ）〜（ｅ）に示すように、任意の形状（所望の抵抗力の得られる嵌挿幅）とされたスペース部材８０ｂ〜８０ｅを数種用意してこれに交換することもできる。図９（ｂ）に示したスペース部材８０ｂ，８０ｂは、図９（ａ−２）に示したものよりも長さ（高さ）が短くなっており、その分、嵌挿部４０，４０による抵抗力が昇降部材３０のストロークの下降端付近で集中して現れるようになっている。また、図９（ｃ）に示したスペース部材８０ｃ，８０ｃは、図９（ａ−２）に示したものよりも長さ（高さ）が長くなっており、その分、ストローク全体にわたって抵抗力が付与されるようになり、操作感をより一定のものとすることができる。さらに、図９（ｄ）に示したスペース部材８０ｄ，８０ｄは、傾斜部の途中に直線部分８１，８１が設けられており、この直線部分８１，８１によって形成される嵌挿部４０，４０では、抵抗力が増加しないようにすることができる。また、図９（ｅ）に示したスペース部材８０ｅ，８０ｅは、ストローク下端である傾斜部の終わり部分に直線部分８１，８１が設けられており、ストローク下端付近で抵抗力が増加しないようにすることができる。
このように、スペース部材８０，８０を他の形状のものに付け替えることにより、使用者の好みに合わせた操作感が得られるようになる。
【００６４】
ここで、本実施の形態のディスプレイ昇降調整装置が種々のディスプレイＤの共用の装置として構成されているときには、取り付けられるディスプレイＤの製品重量に合わせてスペース部材を複数種類用意することにより、次のような作用効果が得られる。
すなわち、種々のディスプレイＤの共用の装置としてディスプレイ昇降調整装置が構成されている場合に、ディスプレイＤの製品重量が種々異なっているものをそのまま取り付けると、ディスプレイＤの製品重量と渦巻きばね２０，２０の付勢力とのバランスがまちまちとなり、上昇調整時の操作感は、取り付けられたディスプレイＤの製品重量によって異なったものとなってしまう。
【００６５】
このような場合に、ディスプレイＤの製品重量に対応した適切な抵抗力を渦巻きばね２０，２０の付勢力に対して付与することができれば、ディスプレイＤの製品重量が異なっても、上昇調整時の操作感を変わらないものとすることが可能である。
そこで、ディスプレイＤの製品重量に対応した適切な抵抗力を付与することのできるスペース部材を複数種類用意し、これをディスプレイＤに対応させて取り付けるように構成することにより、上昇調整時の操作感の変わらないディスプレイ昇降調整装置とすることができるようになる。
【００６６】
具体的には、例えば、取り付けられるディスプレイＤのうち、製品重量の一番重たいディスプレイＤを基準となるディスプレイＤとして、これに合った荷重を有する渦巻きばね２０，２０や抵抗力を付与するスペース部材を設けておき、この渦巻きばね２０，２０を基準として、その他の製品重量の軽いディスプレイＤを取り付けたときに、適切な抵抗力が付与されるようにするためのスペース部材をそれぞれ用意する。そして、製品重量の一番重たいディスプレイＤに代えて、製品重量の軽いディスプレイＤが取り付けられるときには、そのディスプレイＤに対応させたスペース部材に取り換えるようにする。
【００６７】
この場合、ディスプレイＤを取り換えることにより、ディスプレイＤの製品重量が軽くなった際に、スペース部材を交換しないままでいると、渦巻きばね２０，２０の付勢力がスペース部材によって形成される嵌挿部４０，４０による抵抗力に勝ったままの状態となり、付勢力と抵抗力とのバランスが崩れて、上昇調整時の操作感が大きく異なってしまうおそれがある。これに対し、ディスプレイＤの製品重量に対応させたスペース部材に取り換えるようにすることにより、適切な抵抗力を付与することができるようになる。
【００６８】
すなわち、基準とされたディスプレイＤが製品重量の一番重いディスプレイＤであるので、その後に製品重量の軽いディスプレイＤに交換されたときには、常に付勢力が抵抗力に勝るという状態となるので、その分は、スペース部材８０，８０を交換することによって、より大きくされた抵抗力を付与することにより吸収することが可能となる。
したがって、渦巻きばね２０，２０自体を、他の異なる付勢力が得られるものに交換する等の作業が必要とならない。これにより、低コストで汎用性に優れたディスプレイ昇降調整装置が得られるようになる。
【００６９】
なお、前記スペース部材８０，８０は、接着剤や固定ねじを用いて嵌挿部４０，４０に取り外し不能に固定されるように構成しても良い。
【００７０】
（第三の実施の形態）
図１０は、本発明の第三の実施の形態に係るディスプレイ昇降調整装置を示す正面図、図１１（ａ）は、ダンパーの拡大斜視図（一部切断）、（ｂ）は、図１１（ａ）のａ−ａ線断面図である。
本実施の形態のディスプレイ昇降調整装置が前記第一，第二の実施の形態のものと異なるところは、ベース部材１０と昇降部材３０との間に、昇降部材３０の上昇速度の低減を図るダンパー９０が設けられている点およびベース部材１０の昇降路１３ａ，１３ｂに嵌挿部４０，４０（図２参照）が設けられていない点にある。
【００７１】
ダンパー９０は、図１１（ａ）に示すように、シリンダ９１と、このシリンダ９１に往復動可能に設けられたピストン９２とを備えている。
シリンダ９１は、上端が開放され下端が底部９１ｂとされた有底円筒形状となっており、約上半分の周壁には、シリンダ９１の内外を連通する縦長のスリット９１ａが複数本形成されている（図１１（ｂ）参照）。シリンダ９１の底部９１ｂには、シリンダ９１の内外を連通する小径の連通孔９１ｃが形成されている。また、シリンダ９１の底部９１ｂには、取付ねじ９４が垂設されており、シリンダ９１は、図１０に示すように、この取付ねじ９４によってベース部材１０の台座１１に形成された図示しないねじ穴に螺合されて取り付けられる。
【００７２】
ピストン９２には、ピストンロッド９２ａが一体的に連接されており、このピストンロッド９２ａの上端部には、取付穴９３ａを有する取付部９３が一体的に設けられている。取付部９３は、図１０に示すように、昇降部材３０の中央下部３７にボルト９３ｂで固定される。
本実施の形態では、昇降部材３０が上端位置にあるとき（図１０に示す状態）にピストン９２がシリンダ９１の上端近傍に位置するように、各部の寸法が調整されている。これにより、昇降部材３０を上端位置から下端位置へ向けて下降動させると、ピストン９２は、スリット９１ａが形成された区間Ｓ１からスリット９１ａが形成されていない区間Ｓ２へ下降することとなる。また、昇降部材３０を下端位置から上端位置へ向けて上昇動させると、ピストン９２は、区間Ｓ２を通って区間Ｓ１に上昇することとなる。
【００７３】
ここで、区間Ｓ１では、スリット９１ａが形成されているので、ピストン９２のスムーズな昇降動が可能である。また、区間Ｓ２では、スリット９１ａが形成されていないので、この区間Ｓ２にピストン９２があるとき、シリンダ９１内にはピストン９２で区画された空気室が形成されることとなる。したがって、ピストン９２は、この区間Ｓ２において、空気室による制動を昇降時に受けることとなる。この区間Ｓ２におけるピストン９２の制動は、シリンダ９１の底部９１ｂに設けられた連通孔９１ｃを通流する空気の量で決定される。本実施の形態では、区間Ｓ２において昇降部材３０の上昇（下降）速度の低減が図られるように、連通孔９１ｃの大きさが設定されている。
【００７４】
次に、本実施の形態のディスプレイ昇降調整装置の動作を説明する。なお、動作は、昇降部材３０が下降端近傍にある状態から上昇調整をする場合について説明する。
昇降部材３０が下降端近傍位置に下降動された状態では、昇降部材３０の下降動に追従して渦巻きばね２０，２０の巻き付け部２０ｂ，２０ｂが巻き出された状態となっており、昇降部材３０は、上昇方向に付勢されている。
一方、ダンパー９０においては、ピストン９２がシリンダ９１の区間Ｓ２に位置しており、ピストン９２は、前記空気室による制動を昇降時に受ける状態となっている。
【００７５】
この状態から昇降部材３０を上昇調整すると、ダンパー９０による制動を受けて昇降部材３０の上昇速度の低減が図られ、昇降部材３０は、ゆっくりと上昇される。これにより、昇降部材３０が渦巻きばね２０，２０の付勢力によって勢い良く跳ね上がるような現象が防止される。すなわち、昇降部材３０の上昇調整をする場合、ダンパー９０による制動が渦巻きばね２０，２０の付勢力に対して逆方向の力となって作用するようになり、結果として、昇降部材３０に対する上昇方向の付勢力が弱められることとなる。このダンパー９０による制動は、ピストン９２が区間Ｓ２を上昇する間中生じることとなる。
【００７６】
その後、さらに昇降部材３０を上昇調整すると、ダンパー９０のピストン９２が区間Ｓ２から区間Ｓ１に上昇動し、ダンパー９０による制動が解除される。このとき、昇降部材３０が上昇動された分、渦巻きばね２０，２０による付勢力は弱くなっているので、ダンパー９０による制動が解除されても昇降部材３０が急激に跳ね上がるような現象を生じることがない。すなわち、本実施の形態のディスプレイ昇降調整装置によれば、ストロークのほぼ全体にわたって、昇降部材３０を上昇調整しようとするときの操作力が変わらない状態とされる。したがって、略一定の操作感で上昇調整を行うことができるようになる。
【００７７】
なお、ダンパー９０の底部９１ｂの連通孔９１ｃに対して、ゴム等の弾性部材を介在させて、空気の流通を調整するように構成しても良い。また、ダンパー９０は、昇降部材３０が下方に位置するときに、昇降部材３０の上昇速度の低減を図ることができるように構成されていれば良く、下降調整時には、連通孔９１ｃからスムーズに空気が排出されるように図示しない弁を連通孔９１ｃに設けても良い。
【００７８】
さらに、前記スリット９１ａは、スリット９１ａの下部や下端部を先細り形状（例えば、下方へ向かうにつれてすぼまる形状）とすることもできる。このような先細り形状とすることにより、図示しないディスプレイを上昇または下降させた際、図１０に示すように、区間Ｓ２から区間Ｓ１、区間Ｓ１から区間Ｓ２にピストン９２が移動するときのダンパー９０の制動力を、連続可変とすることができ、よりスムーズな操作感を実現することができる。
【００７９】
前記した第一，第二の実施の形態に係るディスプレイ昇降調整装置は、嵌挿部４０，４０を形成している段部１４ａ，１４ｂの傾斜やスペース部材８０，８０の傾斜部分が、湾曲状とされたものや波形状とされたものを用いても差し支えない。また、嵌挿部４０，４０は、昇降路１３ａ，１３ｂに対して部分的に形成されるようにしても良い。
さらに、各実施の形態に係るディスプレイ昇降調整装置の渦巻きばね２０，２０は、厚みや板幅が巻き出し量に応じて異なる寸法となるように形成されるものを採用しても良い。また、渦巻きばね２０，２０は、異なる曲率で巻回されたものを採用しても良い。
【図面の簡単な説明】
【００８０】
【図１】本発明の第一の実施の形態に係るディスプレイ昇降調整装置を示す分解斜視図である。
【図２】ベース部材と昇降部材とを分離した状態の正面図である。
【図３】ベース部材のホルダと昇降部材との嵌合状態を示す水平断面図である。
【図４】（ａ）は、スペーサの収納部に渦巻きばねが収納される前の状態を、斜め下方から見た拡大斜視図、（ｂ）は、スペーサの収納部に渦巻きばねが収納された状態を示す斜め下方から見たときの拡大斜視図である。
【図５】ディスプレイが取り付けられた状態のディスプレイ昇降調整装置を示す斜視図である。
【図６】渦巻きばねの荷重特性図である。
【図７】（ａ）〜（ｃ）は、作用説明図である。
【図８】方向調整装置を説明するための分解斜視図である。
【図９】第二の実施の形態に係るディスプレイ昇降調整装置を説明するための図であり、（ａ−１）は、ホルダの模式正面図、（ａ−２）は、図９（ａ−１）に示した嵌挿部を形成するためのスペース部材を示す正面図、（ｂ）〜（ｅ）は、同じく嵌挿部を形成するためのスペース部材の例を示す正面図である。
【図１０】本発明の第三の実施の形態に係るディスプレイ昇降調整装置を示す正面図である。
【図１１】（ａ）は、ダンパーの拡大斜視図（一部切断）、（ｂ）は、図１１（ａ）のａ−ａ線断面図である。
【図１２】従来の液晶モニタの支持装置を示す側面図である。
【符号の説明】
【００８１】
１      ディスプレイ昇降調整装置
１０    ベース部材
１１    台座
１２    ホルダ
１３ａ，１３ｂ    昇降路
１４      センターガイド部
１４ａ，１４ｂ    段部
２０      渦巻きばね
２０ａ    巻終端部
２０ｂ    巻き付け部
３０      昇降部材
３１ａ，３１ｂ    ガイド部
３２      中央部
３３ａ，３３ｂ    スペーサ
３５      収納部
４０      嵌挿部
５０      取付け部材
６０      可動部
７０      ベース
８０      スペース部材
９０      ダンパー
９１      シリンダ
９２      ピストン
９１ｃ    連通孔
Ｄ        ディスプレイ
Ｈ        方向調整装置
【図１】
2005178963.tif 000003
【図２】
2005178963.tif 000004
【図３】
2005178963.tif 000005
【図４】
2005178963.tif 000006
【図５】
2005178963.tif 000007
【図６】
2005178963.tif 000008
【図７】
2005178963.tif 000009
【図８】
2005178963.tif 000010
【図９】
2005178963.tif 000011
【図１０】
2005178963.tif 000012
【図１１】
2005178963.tif 000013
【図１２】
2005178963.tif 000014